【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
便器の後方に設けられ、洗浄機構を収容したケースのベース部が、便器後部の据付部に固定されたプレートに対して装着される温水洗浄便座装置において、
前記プレートに刻設された前方開放の連続した一対のカム溝と、前記ベース部に設けられ前記カム溝に滑動自在に挿架される一対のピンとを備え、前記カム溝に対する前記ピンの位置により前記ベース部の固定及び解除が成される移動機構を備え、
前記プレートの後方位置における前記カム溝の第１位置では前記プレートに対して前記ベース部の固定が行え、前記第１位置から第２位置に固定解除された場合に前記カム溝に沿って前記ベース部の前方位置への移動が行え、
前記第１位置よりも前方の第３位置では前記ベース部の前記前方位置への移動が規制され、前記プレートに対し前記ベース部を持ち上げることによりチルト状態とすることが可能となると共に、前記第３位置から第４位置に前記ピンが移動した場合に前記プレートから前記ベース部の離脱を可能とした温水洗浄便座装置。
【請求項２】
前記移動機構は、前記ベース部に設けられ、前記ベース部に対して相対移動し、原位置となる前記第１位置から前記第２位置に前記ピンを往動により移動させるレバー体を備えた請求項１に記載の温水洗浄便座装置。
【請求項３】
前記カム溝は、前記第２位置から前記第３位置に至る過程で前記ピンを復動させるカム面を有する請求項１に記載の温水洗浄便座装置。
【請求項４】
前記一対のカム溝の間に、前記プレートに対し前記ベース部をチルト状態として維持させる自立機構を備えた請求項１に記載の温水洗浄便座装置。
【請求項５】
前記自立機構は、前記ベース部に設けられ、前記プレートに形成された中央溝内に配設され、該中央溝の内側へと両側から突出した斜面を乗り上げる一対のラッチ体を備え、該ラッチ体により前記ベース部をチルト状態に維持するようにした請求項４に記載の温水洗浄装置。
【請求項６】
前記第３位置では、前記ピンの前方への移動を阻止するストッパ部が前記プレートに形成されている請求項１に記載の温水洗浄装置。
【請求項７】
前記第３位置では、前記ピンが前記ストッパ部により阻止されている状態で前記ベース部を持ち上げることにより、前記プレートに対し前記ベース部をチルト状態として維持させる請求項６に記載の温水洗浄装置。
【手続補正２】
【補正対象書類名】明細書
【補正対象項目名】０００６
【補正方法】変更
【補正の内容】
【０００６】
上記の技術的課題を解決するために講じた第１の技術的手段は、便器の後方に設けられ、洗浄機構を収容したケースのベース部が、便器後部の据付部に固定されたプレートに対して装着される温水洗浄便座装置において、
前記プレートに刻設された前方開放の連続した一対のカム溝と、前記ベース部に設けられ前記カム溝に滑動自在に挿架される一対のピンとを備え、前記カム溝に対する前記ピンの位置により前記ベース部の固定及び解除が成される移動機構を備え、前記プレートの後方位置における前記カム溝の第１位置では前記プレートに対して前記ベース部の固定が行え、前記第１位置から第２位置に固定解除された場合に前記カム溝に沿って前記ベース部の前方位置への移動が行え、前記第１位置よりも前方の第３位置では前記ベース部の前記前方位置への移動が規制され、前記プレートに対し前記ベース部を持ち上げることによりチルト状態とすることが可能となると共に、前記第３位置から第４位置に前記ピンが移動した場合に前記プレートから前記ベース部の離脱を可能とした温水洗浄便座装置とした構成としたことである。
【手続補正３】
【補正対象書類名】明細書
【補正対象項目名】０００７
【補正方法】変更
【補正の内容】
【０００７】
この場合、前記移動機構は、前記ベース部に設けられ、前記ベース部に対して相対移動し、原位置となる前記第１位置から前記第２位置に前記ピンを往動により移動させるレバー体を備える構成とするのが望ましい。
【手続補正４】
【補正対象書類名】明細書
【補正対象項目名】０００８
【補正方法】変更
【補正の内容】
【０００８】
また、前記カム溝は、前記第２位置から前記第３位置に至る過程で前記ピンを復動させるカム面を有するのが望ましい。
【手続補正５】
【補正対象書類名】明細書
【補正対象項目名】０００９
【補正方法】変更
【補正の内容】
【０００９】
また、前記一対のカム溝の間に、前記プレートに対し前記ベース部をチルト状態として維持させる自立機構を備える構成とするのが望ましい。
【手続補正６】
【補正対象書類名】明細書
【補正対象項目名】００１０
【補正方法】変更
【補正の内容】
【００１０】
また、前記自立機構は、前記ベース部に設けられ、前記プレートに形成された中央溝内に配設され、該中央溝の内側へと両側から突出した斜面を乗り上げる一対のラッチ体を備え、該ラッチ体により前記ベース部をチルト状態に維持するような構成とするのが望ましい。
【手続補正７】
【補正対象書類名】明細書
【補正対象項目名】００１１
【補正方法】変更
【補正の内容】
【００１１】
また、前記第３位置では、前記ピンの前方への移動を阻止するストッパ部が前記プレートに形成されている構成とするのが望ましい。
【手続補正８】
【補正対象書類名】明細書
【補正対象項目名】００１２
【補正方法】変更
【補正の内容】
【００１２】
また、前記第３位置では、前記ピンが前記ストッパ部により阻止されている状態で前記ベース部を持ち上げることにより、前記プレートに対し前記ベース部をチルト状態として維持させる構成とするのが望ましい。
【手続補正９】
【補正対象書類名】明細書
【補正対象項目名】００１３
【補正方法】変更
【補正の内容】
【００１３】
本発明によれば、移動機構がケースの前方への移動・チルト・便器からの離脱を許容するので、便器の据付部の清掃及び温水洗浄便座装置の便器の据付部からの取り外しが容易に行うことが出来る。
この場合、本発明によれば、ケースの便器側プレートへの固定・解除をピンのみで行え、移動機構の構成を簡素できる。
また、ピンが後方位置から前方位置への移動が完了すると同時に、ケースの便器側プレートへの固定が行え、操作性が良くなる（別途、固定のための操作が不要となる）。
また、温水洗浄便座装置のチルト状態が維持されるので、温水洗浄便座装置のチルト状態を手で維持する場合に比べ、清掃性が格段に向上する。
また、温水洗浄便座装置のチルト状態を維持する自立機構が便器側にないので、便器面の清掃が広い範囲にわたって円滑に行える。
また、（１）ケースの前方への移動・チルト・便器からの離脱が行える、（２）ケースの便器側プレートへの固定・解除をピンのみで行え、移動機構の構成を簡素に出来る、（３）ピンが後方位置から前方位置への移動が官完了すると同時に、ケースの便器側プレートへの固定が行え、操作性が良くなる（別途、固定のための操作が不要となる）という、実用上、多大な効果を奏する。
また、温水洗浄便座装置のチルト状態が維持されるので、温水洗浄便座装置のチルト状態を手で維持する場合に比べ、清掃性が格段に向上する。同時に、温水洗浄便座装置のチルト状態を維持する自立機構が便器側にないので、便器面の清掃が広い範囲にわたって円滑に行える。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２６
【補正方法】変更
【補正の内容】
【００２６】
温水洗浄便座装置１０が図１の位置（第１位置）にあるとき、操作部５０Ｌを操作してレバー体５０を外方向（左方向）にフルに移動させると、ピン４０Ｌ（ピン４０Ｒ）が退避部４１Ｌ（退避部４１Ｒ）から抜け出て、壁面６２Ｌ（壁面６２Ｒ）と対峙しない位置、つまり溝６０Ｌの左側壁後方部６３Ｌ（溝６０Ｒの左側壁後方部６３Ｒ）に当接する位置（第２位置）まで移動される（図９）。
【手続補正１７】
【補正対象書類名】明細書
【補正対象項目名】００２７
【補正方法】変更
【補正の内容】
【００２７】
次いで、この状態からケース１２を前方に引き出すと、ピン４０Ｌ（ピン４０Ｒ）は、溝６０Ｌの左側壁後方部６３Ｌ（溝６０Ｒの左側壁後方部６３Ｒ）にガイドされて、後方左側カム面６４Ｌと後方右側カム面６９Ｌとの間（後方左側カム面６４Ｒと後方右側カム面６９Ｒとの間に至る。それ以降、ピン４０Ｌ（ピン４０Ｒ）は、右側直線壁６５Ｌ（右側直線壁６５Ｒ）に沿って前進し、この前進は、ピン４０Ｌ（ピン４０Ｒ）が前方部内壁６６Ｌ（前方部内壁６６Ｒ）と当接するまで続く。ピン４０Ｌ（ピン４０Ｒ）が前方部内壁６６Ｌ（前方部内壁６６Ｒ）と当接する直前までは、温水洗浄便座装置１０は、図２に示す状態を呈する。しかして、ピン４０Ｌ（ピン４０Ｒ）が前方部内壁６６Ｌ（前方部内壁６６Ｒ）と当接した位置（第３位置）になった（図１０）後、ケース１２を持ち上げると、後述する自立機構７０の作用により、温水洗浄便座１０が、図３に示されるように、便器２０に対して前方にチルトした状態が維持される。尚、ピン４０Ｌ（ピン４０Ｒ）が、溝６０Ｌの左側壁後方部６３Ｌ（溝６０Ｒの左側壁後方部６３Ｒ）にガイドされて、後方左側カム面６４Ｌと後方右側カム面６９Ｌとの間（後方左側カム面６４Ｒと後方右側カム面６９Ｒとの間に至る過程で、レバー体５０は、後方左側カム面６４Ｌ（後方左側カム面６４Ｒ）のカム作用で右側に移動して、原位置に復帰する。
【手続補正１８】
【補正対象書類名】明細書
【補正対象項目名】００２８
【補正方法】変更
【補正の内容】
【００２８】
ピン４０Ｌ（ピン４０Ｒ）が図１０の状態にあるとき（温水洗浄便座装置１０が図３の位置にあるとき）、操作部５０Ｌをケース１２から引き出し操作してレバー体５０を外方向（左方向）にフルに移動させると、ピン４０Ｌ（ピン４０Ｒ）が左側にシフトして、前方部内壁６６Ｌ（前方部内壁６６Ｒ）と対峙しない位置、つまり溝６０Ｌの前方開放口６７Ｌ（溝６０Ｒの前方開放口６７Ｒ）に対峙する位置（第４位置）まで移動される（図１１）。この状態からケース１２を前方に引き出すと、ピン４０Ｌ（ピン４０Ｒ）が溝６０Ｌの前方開放口６７Ｌ（溝６０Ｒの前方開放口６７Ｒ）から完全に抜け出て、温水洗浄便座装置１０は、図４に示す状態になる。